(57)【要約】【課題】公差を吸収することができ、かつ、部品を安定した状態で固定することができる部品ユニット、ヒュージブルリンクユニット、及び、固定構造を提供する。【解決手段】ヒュージブルリンクユニット２において、ケース２０が、ヒュージブルリンク３０と係止してヒュージブルリンク３０を固定するケース側係止部２２ａ、２２ｂを有し、ヒュージブルリンク３０が、ケース側係止部２２ａ、２２ｂと係止するヒュージブルリンク側係止部３５ａ、３５ｂを有し、長手方向Ｙ一方側のヒュージブルリンク側係止部３５ａが、長手方向Ｙ他方側のヒュージブルリンク側係止部３５ｂよりもバスバー４０の被接続位置３１１ａの近傍に設けられ、ヒュージブルリンク側係止部３５ａとケース側係止部２２ａとの上下方向Ｘにおける隙間寸法Ｌ１が、ヒュージブルリンク側係止部３５ｂと、ケース側係止部２２ｂと、の上下方向Ｘにおける隙間寸法Ｌ２よりも大きく形成されている。【選択図】図２
2016131119.tif 000002
【特許請求の範囲】
【請求項１】
部品と、接続部材と、前記部品を収容するケースと、を備え、前記接続部材の一端が固定対象物に接続されるとともに他端が前記部品の一面における被接続位置に接触して接続され、前記固定対象物と前記接続部材との間に前記部品が位置し、前記固定対象物に設置された前記ケースを介して前記部品が前記固定対象物に固定される部品ユニットであって、
前記ケースが、前記部品と係止して前記部品を固定する一対のケース側係止部を有し、
前記部品が、前記一対のケース側係止部と係止する一対の部品側係止部を有し、前記部品側係止部の一方が、前記部品側係止部の他方よりも前記被接続位置の近傍に設けられ、
前記一方と、該一方と係止する前記ケース側係止部と、の前記部品の前記一面との垂直方向における隙間寸法が、前記他方と、該他方と係止する前記ケース側係止部と、の前記垂直方向における隙間寸法よりも大きく形成されている
ことを特徴とする部品ユニット。
【請求項２】
前記ケース側係止部が、前記垂直方向に立設する立設部と、前記立設部の先端に設けられた爪部と、から構成され、
前記爪部が、前記垂直方向との交差方向で前記部品側に突出して形成されている
ことを特徴とする請求項１に記載の部品ユニット。
【請求項３】
前記部品が、前記ケース側係止部と対向する面において、前記垂直方向に沿って延びるガイドリブをさらに有し、
前記ケースが、前記ガイドリブが挿通される溝部をさらに有している
ことを特徴とする請求項１又は２に記載の部品ユニット。
【請求項４】
ヒュージブルリンクと、バスバーと、前記ヒュージブルリンクを収容するケースと、を備え、前記バスバーの一端が固定対象物に接続されるとともに他端が前記ヒュージブルリンクの一面における被接続位置に接触して接続され、前記固定対象物と前記バスバーとの間に前記ヒュージブルリンクが位置し、前記固定対象物に設置された前記ケースを介して前記ヒュージブルリンクが前記固定対象物に固定されるヒュージブルリンクユニットであって、
前記ケースが、前記ヒュージブルリンクと係止して前記ヒュージブルリンクを固定する一対のケース側係止部を有し、
前記ヒュージブルリンクが、前記一対のケース側係止部と係止する一対のヒュージブルリンク側係止部を有し、前記ヒュージブルリンク側係止部の一方が、前記ヒュージブルリンク側係止部の他方よりも前記被接続位置の近傍に設けられ、
前記一方と、該一方と係止する前記ケース側係止部と、の前記ヒュージブルリンクの前記一面との垂直方向における隙間寸法が、前記他方と、該他方と係止する前記ケース側係止部と、の前記垂直方向における隙間寸法よりも大きく形成されている
ことを特徴とするヒュージブルリンクユニット。
【請求項５】
固定対象物と、一端が前記固定対象物に接続されるとともに他端が部品の一面における被接続位置に接触して接続される接続部材と、の間に前記部品が位置し、前記固定対象物に設置されたケースを介して前記部品が前記固定対象物に固定される固定構造であって、
前記ケースが、前記部品と係止して前記部品を固定する一対のケース側係止部を有し、
前記部品が、前記一対のケース側係止部と係止する一対の部品側係止部を有し、前記部品側係止部の一方が、前記部品側係止部の他方よりも前記被接続位置の近傍に設けられ、
前記一方と、該一方と係止する前記ケース側係止部と、の前記部品の前記一面との垂直方向における隙間寸法が、前記他方と、該他方と係止する前記ケース側係止部と、の前記垂直方向における隙間寸法よりも大きく形成されている
ことを特徴とする固定構造。
【発明の詳細な説明】
【技術分野】
【０００１】
本発明は、固定対象物に設置されたケースを介して部品が前記固定対象物に固定される部品ユニット、ヒュージブルリンクユニット、及び、固定構造に関する。
【背景技術】
【０００２】
従来、自動車等の車両には、様々な部品が搭載されており、これらの部品を備え、車両内の固定対象物に固定されるための部品ユニットが種々提案されている。（例えば、特許文献１参照）。
【０００３】
図６に示す従来の部品ユニットでは、部品の一例としてのヒューズユニット５００が、固定対象物であるバッテリに設けられたバッテリポスト（不図示）にバッテリ端子６００を介して接続されるようになっている。ヒューズユニット５００は、本体部５０１と、バッテリ側端子５０２と、負荷側端子５０３と、を有している。バッテリ側端子５０２と、負荷側端子５０３とは、本体部５０１の内部において、過電流が流れたときに溶断される可溶体により接続されている。また、バッテリ側端子５０２は、バッテリ端子６００のボルト６０１が挿通されるボルト孔５２１を有している。負荷側端子５０３は、接続部材７００のボルト孔７０１に挿通されるボルト５３１が立設されており、ボルト５３１と不図示のナットとが締結されることにより接続部材７００と電気的に接続される。
【先行技術文献】
【特許文献】
【０００４】
【特許文献１】特開２０１３−３７９４９号公報
【発明の概要】
【発明が解決しようとする課題】
【０００５】
一方、図６に示したようなヒューズユニット５００等の部品がバッテリ等の固定対象物に設置されたケースを介して固定されることがある。このような場合、部品を収容するケースは、収容される部品、その部品に接続される接続部材の公差を考慮した最大寸法に合わせて形成されている。このことから、ケースの内側寸法よりも小さい部品が収容されることがあり、公差を吸収して部品を収容することはできるが、バスバー等の接続部材と部品とが接続されたときに部品がケース内で浮いてしまい、不安定な姿勢になってしまうことがある。部品がケース内で不安定な姿勢で固定されている場合、自動車等の振動等により部品に力が加わったときに部品や接続部材が破損する可能性があるという問題があった。
【０００６】
従って、本発明は、上記のような問題点に着目し、公差を吸収することができ、かつ、部品を安定した状態で固定することができる部品ユニット、ヒュージブルリンクユニット、及び、固定構造を提供することを目的とする。
【課題を解決するための手段】
【０００７】
請求項１に記載された発明は、部品と、接続部材と、前記部品を収容するケースと、を備え、前記接続部材の一端が固定対象物に接続されるとともに他端が前記部品の一面における被接続位置に接触して接続され、前記固定対象物と前記接続部材との間に前記部品が位置し、前記固定対象物に設置された前記ケースを介して前記部品が前記固定対象物に固定される部品ユニットであって、前記ケースが、前記部品と係止して前記部品を固定する一対のケース側係止部を有し、前記部品が、前記一対のケース側係止部と係止する一対の部品側係止部を有し、前記部品側係止部の一方が、前記部品側係止部の他方よりも前記被接続位置の近傍に設けられ、前記一方と、該一方と係止する前記ケース側係止部と、の前記部品の前記一面との垂直方向における隙間寸法が、前記他方と、該他方と係止する前記ケース側係止部と、の前記垂直方向における隙間寸法よりも大きく形成されていることを特徴とする部品ユニットである。
【０００８】
請求項２に記載された発明は、請求項１に記載された発明において、前記ケース側係止部が、前記垂直方向に立設する立設部と、前記立設部の先端に設けられた爪部と、から構成され、前記爪部が、前記垂直方向との交差方向で前記部品側に突出して形成されていることを特徴とするものである。
【０００９】
請求項３に記載された発明は、請求項１又は２に記載された発明において、前記部品が、前記ケース側係止部と対向する面において、前記垂直方向に沿って延びるガイドリブをさらに有し、前記ケースが、前記ガイドリブが挿通される溝部をさらに有していることを特徴とするである。
【００１０】
請求項４に記載された発明は、ヒュージブルリンクと、バスバーと、前記ヒュージブルリンクを収容するケースと、を備え、前記バスバーの一端が固定対象物に接続されるとともに他端が前記ヒュージブルリンクの一面における被接続位置に接触して接続され、前記固定対象物と前記バスバーとの間に前記ヒュージブルリンクが位置し、前記固定対象物に設置された前記ケースを介して前記ヒュージブルリンクが前記固定対象物に固定されるヒュージブルリンクユニットであって、前記ケースが、前記ヒュージブルリンクと係止して前記ヒュージブルリンクを固定する一対のケース側係止部を有し、前記ヒュージブルリンクが、前記一対のケース側係止部と係止する一対のヒュージブルリンク側係止部を有し、前記ヒュージブルリンク側係止部の一方が、前記ヒュージブルリンク側係止部の他方よりも前記被接続位置の近傍に設けられ、前記一方と、該一方と係止する前記ケース側係止部と、の前記ヒュージブルリンクの前記一面との垂直方向における隙間寸法が、前記他方と、該他方と係止する前記ケース側係止部と、の前記垂直方向における隙間寸法よりも大きく形成されていることを特徴とするヒュージブルリンクユニットである。
【００１１】
請求項５に記載された発明は、固定対象物と、一端が前記固定対象物に接続されるとともに他端が部品の一面における被接続位置に接触して接続される接続部材と、の間に前記部品が位置し、前記固定対象物に設置されたケースを介して前記部品が前記固定対象物に固定される固定構造であって、前記ケースが、前記部品と係止して前記部品を固定する一対のケース側係止部を有し、前記部品が、前記一対のケース側係止部と係止する一対の部品側係止部を有し、前記部品側係止部の一方が、前記部品側係止部の他方よりも前記被接続位置の近傍に設けられ、前記一方と、該一方と係止する前記ケース側係止部と、の前記部品の前記一面との垂直方向における隙間寸法が、前記他方と、該他方と係止する前記ケース側係止部と、の前記垂直方向における隙間寸法よりも大きく形成されていることを特徴とする固定構造である。
【発明の効果】
【００１２】
請求項１に記載の発明によれば、部品側係止部の一方が、部品側係止部の他方よりも被接続位置の近傍に設けられ、一方と、該一方と係止するケース側係止部と、の部品の一面との垂直方向における隙間寸法が、他方と、他方と係止するケース側係止部と、の垂直方向における隙間寸法よりも大きく形成されている。部品の一面において接続部材が接続されるときに、部品及び接続部材の公差によりケースの内側寸法よりも小さい部品がケースに収容された場合、部品の部品側係止部の一方側が、部品の前記一面との垂直方向に引き寄せられ、他方側も一方側に伴って引き寄せられる。このとき、部品側係止部の他方がケース側係止部に係止するまで部品が引き寄せられると、部品の他方側を支点として部品が回転するように、部品側係止部の一方がケース側係止部と係止するまで引き寄せられる。これにより、接続部材と部品との接続が完了すると、一対の部品側係止部と一対のケース側係止部とが係止して安定した姿勢でケース内に固定され、公差を吸収することができ、かつ、部品を安定した状態で固定することができる部品ユニットを提供することができる。
【００１３】
請求項２に記載の発明によれば、接続部材が部品に接続されるときに部品が接続部材側に引き寄せられても、爪部が垂直方向との交差方向で前記部品側に突出して形成されていることから、より確実に爪部と部品が係止して、ケース内に部品を安定した状態で固定することができる。
【００１４】
請求項３に記載の発明によれば、部品が、前記ケース側係止部と対向する面において、前記垂直方向に沿って延びるガイドリブをさらに有し、ケースが、ガイドリブが挿通される溝部をさらに有していることから、部品が接続部材と接続されたときに、ケース内に部品をより安定した状態で固定することができる。
【００１５】
請求項４に記載の発明によれば、ヒュージブルリンク側係止部の一方が、ヒュージブルリンク側係止部の他方よりも被接続位置の近傍に設けられ、一方と、該一方と係止するケース側係止部と、のヒュージブルリンクの一面との垂直方向における隙間寸法が、他方と、他方と係止するケース側係止部と、の垂直方向における隙間寸法よりも大きく形成されている。ヒュージブルリンクの一面においてバスバーが接続されるときに、ヒュージブルリンク及びバスバーの公差によりケースの内側寸法よりも小さいヒュージブルリンクがケースに収容された場合、ヒュージブルリンクのヒュージブルリンク側係止部の一方側が、ヒュージブルリンクの前記一面との垂直方向に引き寄せられ、他方側も一方側に伴って引き寄せられる。このとき、ヒュージブルリンク側係止部の他方がケース側係止部に係止するまでヒュージブルリンクが引き寄せられると、ヒュージブルリンクの他方側を支点としてヒュージブルリンクが回転するように、ヒュージブルリンク側係止部の一方がケース側係止部と係止するまで引き寄せられる。これにより、バスバーとヒュージブルリンクとの接続が完了すると、一対のヒュージブルリンク側係止部と一対のケース側係止部とが係止して安定した姿勢でケース内に固定され、公差を吸収することができ、かつ、ヒュージブルリンクを安定した状態で固定することができるヒュージブルリンクユニットを提供することができる。
【００１６】
請求項５に記載の発明によれば、部品側係止部の一方が、部品側係止部の他方よりも被接続位置の近傍に設けられ、一方と、該一方と係止するケース側係止部と、の部品の一面との垂直方向における隙間寸法が、他方と、他方と係止するケース側係止部と、の垂直方向における隙間寸法よりも大きく形成されている。部品の一面において接続部材が接続されるときに、固定対象物、部品及び接続部材の公差によりケースの内側寸法よりも小さい部品がケースに収容された場合、部品の部品側係止部の一方側が、部品の前記一面との垂直方向に引き寄せられ、他方側も一方側に伴って引き寄せられる。このとき、部品側係止部の他方がケース側係止部に係止するまで部品が引き寄せられると、部品の他方側を支点として部品が回転するように、部品側係止部の一方がケース側係止部と係止するまで引き寄せられる。これにより、接続部材と部品との接続が完了すると、一対の部品側係止部と一対のケース側係止部とが係止して安定した姿勢でケース内に固定され、公差を吸収することができ、かつ、部品を安定した状態で固定することができる固定構造を提供することができる。
【図面の簡単な説明】
【００１７】
【図１】本発明の一実施形態にかかる固定構造の斜視図である。
【図２】図１に示された固定構造の矢視ＩＩ−ＩＩ線断面を示す図である。
【図３】図１に示された固定構造の矢視ＩＩＩ−ＩＩＩ線断面における要部を示す図である。
【図４】図２に示された固定構造において、ヒュージブルリンクとバスバーとが電気的に接続された状態を、ナットを省略して示す図である。
【図５】図３に示された固定構造において、ヒュージブルリンクとバスバーとが電気的に接続された状態を、ナットを省略して示す図である。
【図６】従来の固定構造を示す図である。
【発明を実施するための形態】
【００１８】
本発明の一実施形態にかかる「部品ユニット」、「ヒュージブリリンクユニット」、及び、「固定構造」を図１〜図５を参照して説明する。なお、図４、図５においては、後述するヒュージブルリンク３０のバスバー側端子３２と締結されるナットの図示を省略している。
【００１９】
本実施形態の固定構造１は、図１に示すように、自動車において、バッテリ１０（請求項の「固定対象物」の一例に相当する）に設置されたケース２０を介してヒュージブルリンク３０（請求項の「部品」の一例に相当する）をバッテリ１０に固定するための構造である。また、ヒュージブルリンク３０には、バスバー４０（請求項の「接続部材」の一例に相当する）が接続されている。バスバー４０は、一端４１がバッテリ１０に接続されるとともに、他端４２がヒュージブルリンク３０の上面３１１（図２）における被接続位置３１１ａに接触して接続されている。すなわち、ヒュージブルリンク３０は、バッテリ１０とバスバー４０との間に位置している。また、本実施形態のヒュージブルリンクユニット２（請求項の「部品ユニット」の一例に相当する）は、ヒュージブルリンク３０と、バスバー４０と、ケース２０と、を備えて構成されている。なお、本実施形態における上下方向は図中の矢印Ｘ方向とし、長手方向は図中の矢印Ｙ方向とし、幅方向は図中の矢印Ｚ方向とする。
【００２０】
バスバー４０は、金属板にプレス加工等を施すことにより形成されており、一端４１が後述するバッテリ１０のバッテリポスト１２に接続されたバッテリ端子Ｔに接続され、他端４２が後述するヒュージブルリンク３０のバスバー側端子３２に接続されている。また、バスバー４０の一端４１及び他端４２には、バッテリ端子Ｔ及びバスバー側端子３２をそれぞれ挿通するための端子孔４１１、４２１が設けられており、ナット（不図示）を用いて締結されることにより、バッテリ１０及びヒュージブルリンク３０と電気的に接続される。
【００２１】
バッテリ１０は、合成樹脂を用いて形成された箱状のカバー体１１を有し、カバー体１１の内部にバッテリ本体（不図示）が収容されている。また、カバー体１１には、上方に向かって突出したバッテリポスト１２と、後述するケース２０のアーム２４と係止するロック部１３と、が設けられている。
【００２２】
カバー体１１は、バッテリ本体（不図示）を収容するロアカバー１１１と、ロアカバー１１１の上方を覆うアッパーカバー１１２と、を有している。アッパーカバー１１２は、上面部１１３と、上面部１１３に連なり四周に垂下された側面部１１４と、を有している。また、上面部１１３は、第一上面部１１３ａと、ケース２０が設置される第二上面部１１３ｂ（図２）と、第二上面部１１３ｂよりも下方に位置し、バッテリポスト１２が設けられた第三上面部１１３ｃと、を有する段付き状に形成されている。ロック部１３は、アッパーカバー１１２の一つの側面部１１４ａ（図１における幅方向Ｚ手前側の面）に設けられている。
【００２３】
ケース２０は、合成樹脂を用いて形成されている。ケース２０は、図２に示されているように、バッテリ１０の第二上面部１１３ｂと対向する底壁２１と、ヒュージブルリンク３０と係止してヒュージブルリンク３０を固定する一対のケース側係止部２２ａ、２２ｂと、後述するヒュージブルリンク３０のガイドリブ３６が挿通される溝部２３と、バッテリ１０のロック部１３と係止するアーム２４と、を有している。
【００２４】
一対のケース側係止部２２ａ、２２ｂは、長手方向Ｙ両側に設けられている。すなわち、長手方向Ｙ一方側にはケース側係止部２２ａが設けられ、長手方向Ｙ他方側にはケース側係止部２２ｂが設けられている。また、ケース側係止部２２ａ、２２ｂはそれぞれ、底壁２１から上方向に立設する立設部２２１ａ、２２１ｂと、立設部２２１ａ、２２１ｂの先端に設けられて後述するヒュージブルリンク３０のヒュージブルリンク側係止部３５ａ、３５ｂと係止する爪部２２２ａ、２２２ｂと、から構成されている。爪部２２２ａ、２２２ｂは、長手方向Ｙ（請求項における「垂直方向との交差方向」の一例に相当する）でヒュージブルリンク３０側に突出して形成されている。また、長手方向Ｙ一方側に設けられたケース側係止部２２ａの爪部２２２ａは、長手方向Ｙ他方側に設けられたケース側係止部２２ｂの爪部２２２ｂよりも上方に位置している。溝部２３は、長手方向Ｙ両側において、ケース側係止部２２ａ、２２ｂの近傍（図１における紙面手前側）にそれぞれ設けられている。なお、爪部２２２ａ、２２２ｂの突出方向は、上下方向Ｘ（ヒュージブルリンク３０の上面３１１との垂直方向）との交差方向でヒュージブルリンク３０側であればよく、長手方向Ｙと多少ずれた方向でヒュージブルリンク３０側でもよい。
【００２５】
ヒュージブルリンク３０は、略直方体状に形成された筐体３１と、バスバー４０の他端４２と接続するバスバー側端子３２と、複数の負荷側端子３３と、バスバー側端子３２と負荷側端子３３とを接続する複数の可溶体３４と、ケース２０のケース側係止部２２ａ、２２ｂと係止する一対のヒュージブルリンク側係止部３５ａ、３５ｂ（請求項における「部品側係止部」の一例に相当する）と、ケース２０の溝部２３に挿通されるガイドリブ３６と、を有している。
【００２６】
筐体３１は、上面３１１（請求項の「一面」の一例に相当する）と、上面３１１に連なり四周に垂下された側面３１２と、上面３１１に対向する下面３１３と、を有している。側面３１２のうち長手方向Ｙに対向する側面３１２ａ、３１２ｂには、側面３１２ａ、３１２ｂの上端から上方に連なる上方延設部３１４と、下端から下方に連なる下方延設部３１５と、が設けられている。また、図２に示すように、上方延設部３１４は、長手方向Ｙ一方側のバスバー４０が配設される部分が切り欠かれている。
【００２７】
バスバー側端子３２は、筐体３１の上面３１１における被接続位置３１１ａに設けられている。被接続位置３１１ａは、長手方向Ｙ一方側に位置している。すなわち、バスバー４０は、ヒュージブルリンク３０において、ケース２０が設置されるバッテリ１０の第二上面部１１３ｂと対向する面に接触接続されている。
【００２８】
複数の負荷側端子３３は、それぞれ、電線Ｗを介して負荷に接続されている。可溶体３４は、過電流が流れると溶断して、過電流や通電時の温度上昇を防止するように構成されている。
【００２９】
ヒュージブルリンク側係止部３５ａ、３５ｂは、上方延設部３１４の上端に連なり、筐体３１の外方（長手方向Ｙ外側）に突出して形成され、ヒュージブルリンク側係止部３５ａは、ヒュージブルリンク側係止部３５ｂよりも被接続位置３１１ａの近傍に設けられている。また、ヒュージブルリンク側係止部３５ａは長手方向Ｙ一方側に設けられてケース側係止部２２ａと係止し、ヒュージブルリンク側係止部３５ｂは長手方向Ｙ他方側に設けられてケース側係止部２２ｂと係止する。
【００３０】
図２には、ヒュージブルリンク３０がケース２０に収容されてバスバー４０と接続されていない状態が示されている。この図２に示されている状態では、長手方向Ｙ一方側のヒュージブルリンク側係止部３５ａとケース側係止部２２ａの爪部２２２ａとの上下方向Ｘ（ヒュージブルリンク３０の上面３１１との垂直方向）における隙間寸法Ｌ１が、長手方向Ｙ他方側のヒュージブルリンク側係止部３５ｂとケース側係止部２２ｂの爪部２２２ｂとの上下方向Ｘにおける隙間寸法Ｌ２よりも大きく形成されている。なお、本実施形態における「隙間」とは、バッテリ１０、ケース２０、ヒュージブルリンク３０及びバスバー４０の公差を吸収するために設けられたいわゆる「遊び」のことを指す。本実施形態においては長手方向Ｙ他方側のヒュージブルリンク側係止部３５ｂとケース側係止部２２ｂの爪部２２２ｂとの間には隙間寸法Ｌ２の隙間が設けられているが、隙間がなく（すなわち、Ｌ２＝０）てもよい。なお、隙間寸法Ｌ１、Ｌ２は、バッテリ１０、ケース２０、ヒュージブルリンク３０及びバスバー４０の公差により変動する。
【００３１】
ガイドリブ３６は、長手方向Ｙ両側において、筐体３１の上端から下端に亘って筐体３１の外方（長手方向Ｙ外側）に突出して設けられている。すなわち、ガイドリブ３６は、ヒュージブルリンク３０のケース側係止部２２ａ、２２ｂと対向する面に形成されている。
【００３２】
次に、ヒュージブルリンク３０をバッテリ１０に固定する方法について図１〜図５を参照して説明する。なお、以下の方法は一例を示すものであり、手順を適宜変更してもよい。
【００３３】
まず、バッテリ１０の第二上面部１１３ｂにケース２０を載置し、ケース２０のアーム２４とバッテリ１０のロック部１３を係止させて、バッテリ１０にケース２０を設置する。次に、図１〜図３に示すように溝部２３にガイドリブ３６を挿通させるようにして、ケース２０内にヒュージブルリンク３０を収容し、ヒュージブルリンク３０のバスバー側端子３２とバスバー４０とを、ナットを締結することにより接続する。
【００３４】
図２、図３は、ケース２０内にヒュージブルリンク３０が収容され、ヒュージブルリンク３０にバスバー４０が接続されていない状態を示している。このとき、長手方向Ｙ両側において、ヒュージブルリンク３０の下方延設部３１５がケース２０の底壁２１と当接している。バッテリ１０、ケース２０、ヒュージブルリンク３０及びバスバー４０の公差によりケース２０の内側寸法よりも小さいヒュージブルリンク３０がケース２０に収容された場合、ナット（不図示）の締結に伴い、ヒュージブルリンク３０の長手方向Ｙ一方側が上方に引き寄せられ、他方側も一方側に伴って引き寄せられる。このとき、長手方向Ｙ他方側に設けられたヒュージブルリンク側係止部３５ｂがケース側係止部２２ｂに係止するまでヒュージブルリンク３０が引き寄せられると、ヒュージブルリンク３０の他方側を支点としてヒュージブルリンク３０が回転するように、長手方向Ｙ一方側のヒュージブルリンク側係止部３５ａがケース側係止部２２ａと係止するとともに、バスバー４０が被接続位置３１１ａに接触して接続するまで引き寄せられる。
【００３５】
図４、図５は、ケース２０内にヒュージブルリンク３０が収容され、ヒュージブルリンク３０にバスバー４０が接続された状態を示している。このとき、ヒュージブルリンク側係止部３５ａ、３５ｂとケース側係止部２２ａ、２２ｂとが係止するとともに、ヒュージブルリンク３０の下方延設部３１５がケース２０の底壁２１に対して、長手方向Ｙ一方側において離隔し、長手方向Ｙ他方側において当接している。これにより、ヒュージブルリンク３０の上下方向Ｘへの移動が規制される。また、ガイドリブ３６が溝部２３に挿通されていることにより、ヒュージブルリンク３０の幅方向Ｚへの移動が規制される。以上のようにして、ケース２０を介したヒュージブルリンク３０のバッテリ１０への固定が完了する。
【００３６】
本実施形態の固定構造１及びヒュージブルリンクユニット２によれば、長手方向Ｙ一方側のヒュージブルリンク側係止部３５ａが、長手方向Ｙ他方側のヒュージブルリンク側係止部３５ｂよりもバスバー４０の被接続位置３１１ａの近傍に設けられ、ヒュージブルリンク側係止部３５ａとケース側係止部２２ａとの上下方向Ｘにおける隙間寸法Ｌ１が、ヒュージブルリンク側係止部３５ｂと、ケース側係止部２２ｂと、の上下方向Ｘにおける隙間寸法Ｌ２よりも大きく形成されている。これにより、バスバー４０とヒュージブルリンク３０との接続が完了すると、ヒュージブルリンク側係止部３５ａ、３５ｂとケース側係止部２２ａ、２２ｂとが係止して安定した姿勢でケース２０内に固定され、公差を吸収することができ、かつ、ヒュージブルリンク３０を安定した状態で固定することができる。
【００３７】
また、バスバー４０がヒュージブルリンク３０に接続されるときにヒュージブルリンク３０がバスバー４０側に引き寄せられても、爪部２２２ａ、２２２ｂが長手方向Ｙでヒュージブルリンク３０側に突出して形成されていることから、より確実に爪部２２２ａ、２２２ｂとヒュージブルリンク３０が係止して、ケース２０内にヒュージブルリンク３０を安定した状態で固定することができる。
【００３８】
また、ヒュージブルリンク３０が、ケース側係止部２２ａ、２２ｂと対向する側面３１２ａ、３１２ｂにおいて、上下方向Ｘに沿って延びるガイドリブ３６をさらに有し、ケース２０が、ガイドリブ３６が挿通される溝部２３をさらに有していることから、ヒュージブルリンク３０がバスバー４０と接続されたときに、上下方向Ｘに加えて幅方向Ｚへの移動が規制され、ケース２０内にヒュージブルリンク３０をより安定した状態で固定することができる。
【００３９】
なお、本発明は、前述した実施形態に限定されるものではなく、本発明の目的が達成できる他の構成等を含み、以下に示すような変形等も本発明に含まれる。
【００４０】
前述した実施形態においては、本発明が、ヒュージブルリンク３０をバッテリ１０に固定する構造に適用されていたが、本発明における「部品」はヒュージブルリンクに限定されず、ケースを介して固定対象物に固定される部品であればよく、例えばヒューズやリレー等の他の電気部品や電気的機能をもたない部品にも適用することができる。また、本発明における「固定対象物」は、バッテリに限定されず、任意の車体フレーム等にも適用することができる。また、ヒュージブルリンク３０に接続部材としてのバスバー４０が接続されていたが、本発明の「接続部材」は電気的に接続する部材でなくてもよい。
【００４１】
また、前記実施形態においては、バスバー４０がヒュージブルリンク３０の上面３１１に接続されていたが、バッテリ１０とバスバー４０との間にヒュージブルリンク３０が位置するように接続されていればよく、接続される面は上面３１１に限定されない。
【００４２】
また、前記実施形態においては、ケース側係止部２２ａ、２２ｂが爪部２２２ａ、２２２ｂを有して形成されていたが、ヒュージブルリンク側係止部３５ａ、３５ｂとケース側係止部２２ａ、２２ｂとが係止するように構成されていればよく、係止部の形状は前記実施形態に限定されない。例えば、爪部がヒュージブルリンク側係止部（部品側係止部）に形成されていてもよい。
【００４３】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び目的の範囲から逸脱することなく、以上述べた実施形態に対し、形状、材質、数量、その他の詳細な構成において、当業者が様々な変形を加えることができるものである。
【００４４】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４５】
１        固定構造
２        ヒュージブルリンクユニット（部品ユニット）
１０      バッテリ（固定対象物）
２０      ケース
２３      溝部
３０      ヒュージブルリンク（部品）
３６      ガイドリブ
４０        バスバー（接続部材）
２２ａ、２２ｂ  ケース側係止部
３５ａ、３５ｂ  ヒュージブルリンク側係止部（部品側係止部）
２２１ａ、２２１ｂ  立設部
２２２ａ、２２２ｂ  爪部
３１１ａ  被接続位置
Ｌ１、Ｌ２  隙間寸法
【図１】
2016131119.tif 000003
【図２】
2016131119.tif 000004
【図３】
2016131119.tif 000005
【図４】
2016131119.tif 000006
【図５】
2016131119.tif 000007
【図６】
2016131119.tif 000008